(57)【要約】【課題】簡単な構造で、ねじの緩みを確実に止めることができるようにしたねじの緩み止め構造を提供すること。【解決手段】雄ねじを形成した第１の雄ねじ部１１、及び前記第１の雄ねじ部１１に対して同心に設けた、第１の雄ねじ部１１の雄ねじと異なるねじ形状の雄ねじを形成した第２の雄ねじ部１２を備えた雄ねじ部材１と、前記雄ねじ部材１の第１及び第２の雄ねじ部１１、１２にそれぞれ螺合する第１及び第２の雌ねじ部材２、３と、前記第１及び第２の雌ねじ部材２、３の相対的な回転を規制する回転規制部材７とからなる。【選択図】図１
2019120338.tif 000002
【特許請求の範囲】
【請求項１】
雄ねじを形成した第１の雄ねじ部（１１）、及び前記第１の雄ねじ部（１１）に対して同心に設けた、第１の雄ねじ部（１１）の雄ねじと異なるねじ形状の雄ねじを形成した第２の雄ねじ部（１２）を備えた雄ねじ部材（１）と、前記雄ねじ部材（１）の第１及び第２の雄ねじ部（１１、１２）にそれぞれ螺合する第１及び第２の雌ねじ部材（２、３）と、前記第１及び第２の雌ねじ部材（２、３）の相対的な回転を規制する回転規制部材（７）とからなることを特徴とするねじの緩み止め構造。
【請求項２】
前記回転規制部材（７）が、前記第１及び第２の雌ねじ部材（２、３）の外周面に当接して第１及び第２の雌ねじ部材（２、３）の相対的な回転を規制する筒状部材からなることを特徴とする請求項１に記載のねじの緩み止め構造。
【請求項３】
雄ねじを形成した雄ねじ部（４１）、及び前記雄ねじ部（４１）に対して同心に設けた、雄ねじ部（４１）の雄ねじと異なるねじ形状の雌ねじを形成した雌ねじ部（４２）を備えた第１のねじ部材（４）と、前記第１のねじ部材（４）の雄ねじ部（４１）に螺合する雌ねじ部材（５）と、前記第１のねじ部材（４）の雌ねじ部（４２）に螺合する雄ねじ部（６１）、及び頭部（６２）を備えた第２のねじ部材（６）と、前記雌ねじ部材（５）及び第２のねじ部材（６）の頭部（６２）の相対的な回転を規制する回転規制部材（７）とからなることを特徴とするねじの緩み止め構造。
【請求項４】
前記回転規制部材（７）が、前記雌ねじ部材（５）及び第２のねじ部材（６）の頭部（６２）の外周面に当接して雌ねじ部材（５）及び第２のねじ部材（６）の頭部（６２）の相対的な回転を規制する筒状部材からなることを特徴とする請求項３に記載のねじの緩み止め構造。
【発明の詳細な説明】
【技術分野】
【０００１】
本発明は、ねじの緩み止め構造に関するものである。
【背景技術】
【０００２】
従来、ボルト・ナット等のねじ部品は、ねじ部品を締め付けた際に、ねじ部品とねじ部品を取り付けた取付体との摩擦により緩みが阻止されようにしている。
しかしながら、このような摩擦力のみによっては、振動などによって次第にねじが緩み、最悪の場合には脱落が生じることもある。
このため、従来から、種々のねじの緩み止め構造が提案され、実用化されてきた（例えば、特許文献１参照。）。
【先行技術文献】
【特許文献】
【０００３】
【特許文献１】特開平９−７９２４５号公報
【発明の概要】
【発明が解決しようとする課題】
【０００４】
ところで、従来のねじの緩み止め構造、例えば、特許文献１は、構造が複雑であったり、採用する箇所に制約がある等の問題点があった。
緩みの確実な防止、及び小ねじにおける緩み止め構造の採用を可能とすることを目的とする。
【０００５】
本発明は、上記従来のねじの緩み止め構造の有する問題点に鑑み、簡単な構造で、ねじの緩みを確実に止めることができるようにしたねじの緩み止め構造を提供することを目的とする。
【課題を解決するための手段】
【０００６】
上記目的を達成するため、本第１発明のねじの緩み止め構造は、雄ねじを形成した第１の雄ねじ部、及び前記第１の雄ねじ部に対して同心に設けた、第１の雄ねじ部の雄ねじと異なるねじ形状の雄ねじを形成した第２の雄ねじ部を備えた雄ねじ部材と、前記雄ねじ部材の第１及び第２の雄ねじ部にそれぞれ螺合する第１及び第２の雌ねじ部材と、前記第１及び第２の雌ねじ部材の相対的な回転を規制する回転規制部材とからなることを特徴とする。
ここで、「第１の雄ねじ部の雄ねじと異なるねじ形状の雄ねじ」とは、具体的には、逆ねじ又は異なるねじピッチの雄ねじをいう。
【０００７】
この場合において、前記回転規制部材が、前記第１及び第２の雌ねじ部材の外周面に当接して第１及び第２の雌ねじ部材の相対的な回転を規制する筒状部材からなるようにすることができる。
【０００８】
また、同じ目的を達成するため、本第２発明のねじの緩み止め構造は、雄ねじを形成した雄ねじ部、及び前記雄ねじ部に対して同心に設けた、雄ねじ部の雄ねじと異なるねじ形状の雌ねじを形成した雌ねじ部を備えた第１のねじ部材と、前記第１のねじ部材の雄ねじ部に螺合する雌ねじ部材と、前記第１のねじ部材の雌ねじ部に螺合する雄ねじ部、及び頭部を備えた第２のねじ部材と、前記雌ねじ部材及び第２のねじ部材の頭部の相対的な回転を規制する回転規制部材とからなることを特徴とする。
ここで、「雄ねじ部の雄ねじと異なるねじ形状の雌ねじ」とは、具体的には、逆ねじ又は異なるねじピッチの雌ねじをいう。
【０００９】
この場合において、前記回転規制部材が、前記雌ねじ部材及び第２のねじ部材の頭部の外周面に当接して雌ねじ部材及び第２のねじ部材の頭部の相対的な回転を規制する筒状部材からなるようにすることができる。
【発明の効果】
【００１０】
本発明のねじの緩み止め構造によれば、簡単な構造で、ねじの緩みを確実に止めることができるようにしたねじの緩み止め構造を提供することができる。
【図面の簡単な説明】
【００１１】
【図１】本発明のねじの緩み止め構造の第１実施例を示す説明図である。
【図２】本発明のねじの緩み止め構造の第２実施例を示す説明図である。
【発明を実施するための形態】
【００１２】
以下、本発明のねじの緩み止め構造の実施の形態を、図面に基づいて説明する。
【実施例１】
【００１３】
図１に、本発明のねじの緩み止め構造の第１実施例を示す。
このねじの緩み止め構造は、雄ねじを形成した第１の雄ねじ部１１、及び前記第１の雄ねじ部１１に対して同心に設けた、第１の雄ねじ部１１の雄ねじと異なるねじ形状の雄ねじを形成した第２の雄ねじ部１２を備えた雄ねじ部材１と、前記雄ねじ部材１の第１及び第２の雄ねじ部１１、１２にそれぞれ螺合する第１及び第２の雌ねじ部材２、３と、前記第１及び第２の雌ねじ部材２、３の相対的な回転を規制する回転規制部材７とからなるようにしている。
【００１４】
ここで、「第１の雄ねじ部１１の雄ねじと異なるねじ形状の雄ねじ」とは、具体的には、逆ねじの雄ねじ、すなわち、第１の雄ねじ部１１の雄ねじが右ねじの場合は左ねじの雄ねじ（又はその逆。）、又は異なるねじピッチの雄ねじ、すなわち、第１の雄ねじ部１１の雄ねじがメートルねじの場合はインチねじの雄ねじ（又はその逆。）をいう。
【００１５】
この場合において、回転規制部材７は、第１及び第２の雌ねじ部材２、３の外周面に当接して第１及び第２の雌ねじ部材２、３の相対的な回転を規制する、内面を第１及び第２の雌ねじ部材２、３が嵌合する、例えば、断面形状が六角形になるように形成した筒状部材で構成したり、第１及び第２の雌ねじ部材２、３の外周部分を貫通するように配設するピン部材（図示省略）で構成することができる。
なお、回転規制部材７の形状及び材質は、第１及び第２の雌ねじ部材２、３の相対的な回転を規制することができる限りにおいて特に限定されず、筒状部材で構成する場合、上部を閉鎖することでキャップ状に形成したものや、金属製のもののほか、合成樹脂製のものを用いることもできる。
【００１６】
このねじの緩み止め構造によれば、簡単な構造で、例えば、２つの板状部材Ｗ１、Ｗ２を締結する雄ねじ部材１及び第１の雌ねじ部材２のねじの緩みを、第２の雌ねじ部材３及び回転規制部材７によって、確実に止めることができる。
【実施例２】
【００１７】
図２に、本発明のねじの緩み止め構造の第２実施例を示す。
このねじの緩み止め構造は、雄ねじを形成した雄ねじ部４１、及び前記雄ねじ部４１に対して同心に設けた、雄ねじ部４１の雄ねじと異なるねじ形状の雌ねじを形成した雌ねじ部４２を備えた第１のねじ部材４と、前記第１のねじ部材４の雄ねじ部４１に螺合する雌ねじ部材５と、前記第１のねじ部材４の雌ねじ部４２に螺合する雄ねじ部６１、及び頭部６２を備えた第２のねじ部材６と、前記雌ねじ部材５及び第２のねじ部材６の頭部６２の相対的な回転を規制する回転規制部材７とからなるようにしている
【００１８】
ここで、「雄ねじ部４１の雄ねじと異なるねじ形状の雌ねじ」とは、具体的には、逆ねじの雌ねじ、すなわち、雄ねじ部４１の雄ねじが右ねじの場合は左ねじの雌ねじ（又はその逆。）、又は異なるねじピッチの雌ねじ、すなわち、雄ねじ部４１の雄ねじがメートルねじの場合はインチねじの雌ねじ（又はその逆。）をいう。
【００１９】
この場合において、回転規制部材７は、雌ねじ部材５及び第２のねじ部材６の頭部６２の外周面に当接して雌ねじ部材５及び第２のねじ部材６の頭部６２の相対的な回転を規制する、内面を雌ねじ部材５及び第２のねじ部材６が嵌合する、例えば、断面形状が六角形になるように形成した筒状部材で構成したり、雌ねじ部材５及び第２のねじ部材６の外周部分を貫通するように配設するピン部材（図示省略）で構成することができる。
なお、回転規制部材７の形状及び材質は、雌ねじ部材５及び第２のねじ部材６の頭部６２の相対的な回転を規制することができる限りにおいて特に限定されず、筒状部材で構成する場合、上部を閉鎖することでキャップ状に形成したものや、金属製のもののほか、合成樹脂製のものを用いることもできる。
【００２０】
このねじの緩み止め構造によれば、簡単な構造で、例えば、２つの板状部材Ｗ１、Ｗ２を締結する第１のねじ部材４及び雌ねじ部材５のねじの緩みを、第２のねじ部材６及び回転規制部材７によって、確実に止めることができる。
【００２１】
以上、本発明のねじの緩み止め構造について、その実施例に基づいて説明したが、本発明は上記実施例に記載した構成、すなわち、２つの板状部材Ｗ１、Ｗ２を締結するねじの緩み止めに限定されるものではなく、その趣旨を逸脱しない範囲において適宜その構成を変更することによって、種々の用途における、各種ねじ、例えば、ボルト・ナットの組み合わせのほか、スタッドボルト・ナットの組み合わせからなるねじの緩み止めの用途等に広く適用することができるものである。
【産業上の利用可能性】
【００２２】
本発明のねじの緩み止め構造は、簡単な構造で、ねじの緩みを確実に止めることができることから、各種ねじの緩み止めの用途に好適に用いることができる。
【符号の説明】
【００２３】
１  雄ねじ部材
１１  第１の雄ねじ部
１２  第２の雄ねじ部
２  第１の雌ねじ部材
３  第２の雌ねじ部材
４  第１のねじ部材
４１  雄ねじ部
４２  雌ねじ部
５  雌ねじ部材
６  第２のねじ部材
６１  雄ねじ部
６２  頭部
７  回転規制部材（筒状部材）
【図１】
2019120338.tif 000003
【図２】
2019120338.tif 000004